(57)【要約】【課題】本発明は、印刷回路基板を提供する。【解決手段】本発明の印刷回路基板は、信号線が配置された信号線層とグランド層を含む。該グランド層は、複数のトレースを互いに接続して、形成されたトレース面を有する。該グランド層への該信号線の正投影と、該正投影が経過する該グランド層のトレースの辺とが互いに交差する。即ち、該グランド層へのあらゆる信号線の正投影と、該正投影が経過する該グランド層のトレースの各辺とが重ならないから、１つの信号線の抵抗を制御し、小さい範囲に変化でき、信号伝送の品質を高めることができる。【選択図】図５
2008160120.tif 000002
【特許請求の範囲】
【請求項１】
信号線が配置された信号線層と、複数のトレースが互いに接続して、形成されたトレース面を有するグランド層と、を含む印刷回路基板において、
該グランド層への該信号線の正投影と、該正投影が経過する該グランド層のトレースの辺とが互いに交差することを特徴とする印刷回路基板。
【請求項２】
前記各々のトレースは、複数の線分の頭と尾を接続して形成されることを特徴とする請求項１記載の印刷回路基板。
【請求項３】
前記グランド層への前記信号線の正投影と、該正投影が経過する該グランド層のトレースの辺と、が成す角度が７．５°より小さくないことを特徴とする請求項２記載の印刷回路基板。
【請求項４】
前記トレースの形状は、正多角形であることを特徴とする請求項３記載の印刷回路基板。
【請求項５】
前記トレースの形状は、正三角形、正方形または正六角形であることを特徴とする請求項４記載の印刷回路基板。
【請求項６】
前記各々のトレースは、複数の曲線の頭と尾を接続して形成されることを特徴とする請求項１記載の印刷回路基板。
【発明の詳細な説明】
【技術分野】
【０００１】
本発明は、印刷回路基板に関し、特にトレース（Ｔｒａｃｅ）のグランド層を持つ印刷回路基板に関するものである。
【背景技術】
【０００２】
印刷回路基板（Ｐｒｉｎｔｅｄ  Ｃｉｒｃｕｉｔ  Ｂｏａｒｄ，ＰＣＢ）は、いろいろな電子装置に広く使われている。印刷回路基板の上にいろいろな電子素子が配置され、いろいろな電子素子の間が電気的に接続されている。電子装置の発展に伴って、必要とする電子素子が多くなり、印刷回路基板に配置される電子素子の配線も密集される。さらに多く電子素子と配線を配置するために、電子装置に使われる印刷回路基板を複数層に設けることができる。例えば、印刷回路基板が、信号線が配置された信号線層及びグランド層を有するということである。複数層を有する印刷回路基板において、印刷回路基板の中間媒質が薄過ぎるから、抵抗がとても小さくなる。この抵抗を高めるために、一般的にグランド層をトレースに設計する。図１〜図３に示すように、前記グランド層のトレースは、正三角形、正方形または正六角形である。一般的に、信号線を水平方向Ｘと０°、３０°、４５°、６０°、９０°、−３０°、−４５°、−６０°などの角度を成すように配線する。
【発明の開示】
【発明が解決しようとする課題】
【０００３】
しかし、グランド層のトレースの各辺が水平方向Ｘと０°、３０°、４５°、６０°、９０°、−３０°、−４５°、−６０°などの角度を成すから、該グランド層への該信号線層の信号線の正投影と該グランド層のトレースの辺とが重なる可能性がある。重なる部分に対応する一部分の信号線は他の部分の信号線より抵抗が大幅に低くなる。即ち、他の部分の信号線の正投影がトレースの辺を通るから、この部分の信号線の抵抗がほとんど変わらない。従って、該信号線層の１つの信号線の抵抗が不均一に変化するから、信号伝送の品質に影響を与える。
【０００４】
従って、本発明は、抵抗を高めることができ、且つ１つの信号線の抵抗変化を所定の範囲に制御できる印刷回路基板を提供することを目的とする。
【課題を解決するための手段】
【０００５】
本発明の印刷回路基板は、信号線が配置された信号線層とグランド層を含む。該グランド層は、複数のトレースで互いに接続することによって、形成されたトレース面を有する。該グランド層への該信号線の正投影と、該正投影が経過する該グランド層のトレースの辺とが互いに交差する。
【発明の効果】
【０００６】
従来技術と比べて、本発明に係る印刷回路基板は、グランド層への信号線の正投影と、該正投影が経過する該グランド層のトレースの辺とが互いに交差する。即ち、該グランド層へのあらゆる信号線の正投影と、該正投影が経過する該グランド層のトレースの各辺とが重ならないから、１つの信号線の抵抗を制御し、小さい範囲に変化でき、信号伝送の品質を高めることができる。
【発明を実施するための最良の形態】
【０００７】
次に、本発明の印刷回路基板を詳しく説明する。
【０００８】
図４〜図７を参照すると、本発明の第一実施形態の印刷回路基板は、信号線層１と、グランド層２とを含む。該グランド層２は、複数のトレース３が互いに接続して形成されたトレース面を有する。各々のトレース３は、三本、四本または六本の線分５の頭と尾を接続して形成された正三角形、正方形または正六角形のトレースである。該信号線層１に信号線６が配置され、且つ、この信号線６を水平方向Ｘと０°、３０°、４５°、６０°、９０°、−３０°、−４５°、−６０°などの角度を成すように配線する。
【０００９】
本実施例において、前記グランド層２のトレース面は、従来技術のトレース面が反時計回りに２２．５°廻って形成されるものである。これによって、該グランド層２のトレースの辺が水平方向Ｘと２２．５°、５２．５°、６７．５°、１１２．５°、−７．５°、−２２．５°、−３７．５°などの角度を成すから、該グランド層２への信号線６の正投影と、該正投影が経過する該グランド層２のトレースの辺との成す角度が少なくとも７．５°より小さくなくなる。即ち、該グランド層２への該信号線６の正投影が、該正投影が経過する該グランド層２のトレース３の辺と交差するから、該正投影と該トレース３の辺とが重ならなくなる。従って、１つの信号線６の抵抗が大きく変化することを防止でき、信号伝送の品質を高めることができる。また、トレース面は時計回りに廻ってもよい。該廻る角度は、該グランド層２への信号線６の正投影と、該正投影が経過する該グランド層のトレースの辺とを重ならないような角度に選択してもよい。該トレース３も他の形状の多角形に選択してもよい。
【００１０】
図８〜図１０に示した本発明の第二実施形態の印刷回路基板において、グランド層２の各々のトレース３’は、三本、四本または六本の曲線５’（例えば、アーチ形の線分）の頭と尾を接続して形成されるものである。一般的に、信号線６を水平方向Ｘと０°、３０°、４５°、６０°、９０°、−３０°、−４５°、−６０°などの角度を成すように信号線層１に配線する。本実施形態において、トレース３’が曲線５からなるから、どんな角度でも、配線する信号線６の正投影のすべてが、該正投影が経過する該グランド層のトレースの辺と交差する。即ち、該正投影は、該正投影が経過する該グランド層２のトレースの辺とが重ならなくなる。従って、１つの信号線６の抵抗が大きく変化することを防止でき、信号伝送の品質を高めることができる。また、該トレース３’は、複数の曲線５’の頭と尾を接続して形成されてもよい。
【００１１】
本発明の印刷回路基板は、グランド層のトレースの辺を該グランド層への信号線の正投影と交差させるから、１つの信号線の抵抗が大きく変化せず、信号伝送の品質を高めることができる。
【図面の簡単な説明】
【００１２】
【図１】従来技術の印刷回路基板のグランド層の構成を示す図である。
【図２】従来技術の印刷回路基板のグランド層の構成を示す図である。
【図３】従来技術の印刷回路基板のグランド層の構成を示す図である。
【図４】本発明の印刷回路基板の構成の断面図である。
【図５】本発明の第一実施形態の印刷回路基板のグランド層の構成を示す図である。
【図６】本発明の第一実施形態の印刷回路基板のグランド層の構成を示す図である。
【図７】本発明の第一実施形態の印刷回路基板のグランド層の構成を示す図である。
【図８】本発明の第二実施形態の印刷回路基板のグランド層の構成を示す図である。
【図９】本発明の第二実施形態の印刷回路基板のグランド層の構成を示す図である。
【図１０】本発明の第二実施形態の印刷回路基板のグランド層の構成を示す図である。
【符号の説明】
【００１３】
１  信号線層
２  グランド層
３  トレース
３’  トレース
５  線分
５’  曲線
６  信号線
【図１】
2008160120.tif 000003
【図２】
2008160120.tif 000004
【図３】
2008160120.tif 000005
【図４】
2008160120.tif 000006
【図５】
2008160120.tif 000007
【図６】
2008160120.tif 000008
【図７】
2008160120.tif 000009
【図８】
2008160120.tif 000010
【図９】
2008160120.tif 000011
【図１０】
2008160120.tif 000012